【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
心筋ＳＰＥＣＴ画像上で異常部位を判定するために用いるコントロールデータベースを作成するための装置であって、
複数の被験者を対象として取得された複数の心筋ＳＰＥＣＴ画像データを取得する画像取得部と、
取得したそれぞれの前記心筋ＳＰＥＣＴ画像データを標準化画像データに変換する標準化部と、
全ての前記標準化画像データについて、それぞれの画像を構成する各ピクセルにつき、画素値が所定の閾値よりも小さいか否かを判定し、小さい場合には当該ピクセルにおける画素値データを前記標準化画像データから棄却する判定・棄却部と、
前記判定・棄却部による処理が行われた各標準化画像データ間で、対応するピクセル同士における画素値の平均値および標準偏差を算出する演算部と、
を備える、コントロールデータベース作成装置。
【請求項２】
前記標準化画像データにつき各画素値の正規化を行う正規化部をさらに備えたものである、請求項１に記載のコントロールデータベース作成装置。
【請求項３】
標準化画像データを特定のセグメントに分割するセグメント分割処理部をさらに含む、請求項１または２に記載のコントロールデータベース作成装置。
【請求項４】
判定・棄却部にて参照する閾値が、分割処理部によって分割されたセグメントごとに個別に定められたものである、請求項３に記載のコントロールデータベース作成装置。
【請求項５】
心筋ＳＰＥＣＴ画像上で異常部位を判定するために用いるコントロールデータベースを作成するための装置であって、
複数の被験者を対象として取得された複数の心筋ＳＰＥＣＴ画像データを取得する画像取得部と、
取得した全ての前記心筋ＳＰＥＣＴ画像データについて、それぞれの画像を構成する各ピクセルにつき、画素値が所定の閾値よりも小さいか否かを判定し、小さい場合には当該ピクセルにおける画素値データを前記心筋ＳＰＥＣＴ画像データから棄却する判定・棄却部と、
前記判定・棄却部による処理が行われた前記心筋ＳＰＥＣＴ画像データを標準化画像データに変換する標準化部と、
各標準化画像データ間で、対応するピクセル同士における画素値の平均値および標準偏差を算出する演算部と、
を備える、コントロールデータベース作成装置。
【請求項６】
前記心筋ＳＰＥＣＴ画像データにつき各画素値の正規化を行う正規化部をさらに備えたものである、請求項５に記載のコントロールデータベース作成装置。
【請求項７】
コンピュータによって、心筋ＳＰＥＣＴ画像上で異常部位を判定するために用いるコントロールデータベースを作成する方法であって、
コンピュータが、複数の被験者を対象として取得された複数の心筋ＳＰＥＣＴ画像データを取得する画像取得ステップと、
コンピュータが、取得したそれぞれの前記心筋ＳＰＥＣＴ画像データを標準化画像データに変換する標準化ステップと、
コンピュータが、全ての前記標準化画像データについて、それぞれの画像を構成する各ピクセルにつき、画素値が所定の閾値よりも小さいか否かを判定し、小さい場合には当該ピクセルにおける画素値データを前記標準化画像データから棄却する判定・棄却ステップと、
コンピュータが、前記判定・棄却ステップ実行後の各標準化画像データ間で、対応するピクセル同士における画素値の平均値および標準偏差を算出する演算ステップと、
を順次実行する、コントロールデータベース作成方法。
【請求項８】
前記標準化ステップの後に、コンピュータが、前記標準化画像データにおける各画素値の正規化を行う正規化ステップを実行し、
前記判定・棄却ステップは、前記正規化ステップによって正規化された標準化画像データを用いて処理を行うものである、請求項７に記載のコントロールデータベース作成方法。
【請求項９】
前記標準化ステップの後に、コンピュータが、前記標準化画像データを複数のセグメントに分割するセグメント分割処理ステップをさらに実行し、
前記判定・棄却ステップでの処理を行う画像データは、前記セグメント分割処理ステップを実行する事によりセグメント分割された標準化画像データである、請求項７に記載のコントロールデータベース作成方法。
【請求項１０】
前記標準化ステップの後に、コンピュータが、前記標準化画像データを複数のセグメントに分割するセグメント分割処理ステップをさらに実行し、
前記正規化ステップで画素値の正規化を行う画像データは、前記セグメント分割処理ステップを実行する事によりセグメント分割された標準化画像データである、請求項８に記載のコントロールデータベース作成方法。
【請求項１１】
前記正規化ステップの後に、コンピュータが、前記正規化された標準化画像データを複数のセグメントに分割するセグメント分割処理ステップをさらに実行し、
前記判定・棄却ステップは、前記セグメント分割処理ステップ後の正規化された標準化画像データを用いて処理を行うものである、請求項８に記載のコントロールデータベース作成方法。
【請求項１２】
前記判定・棄却ステップにおいて参照する閾値は、前記セグメント分割処理ステップによって分割されたセグメントごとに個別に設定されたものである、請求項９から１１の何れか１項に記載のコントロールデータベース作成方法。
【請求項１３】
コンピュータによって、心筋ＳＰＥＣＴ画像上で異常部位を判定するために用いるコントロールデータベースを作成する方法であって、
コンピュータが、複数の被験者を対象として取得された複数の心筋ＳＰＥＣＴ画像データを取得する画像取得ステップと、
コンピュータが、取得した全ての前記心筋ＳＰＥＣＴ画像データについて、それぞれの画像を構成する各ピクセルにつき、画素値が所定の閾値よりも小さいか否かを判定し、小さい場合には当該ピクセルにおける画素値データを前記心筋ＳＰＥＣＴ画像データから棄却する判定・棄却ステップと、
コンピュータが、前記判定・棄却ステップ実行後のそれぞれの前記心筋ＳＰＥＣＴ画像データを標準化画像データに変換する標準化ステップと、
コンピュータが、各標準化画像データ間で、対応するピクセル同士における画素値の平均値および標準偏差を算出する演算ステップと、
を順次実行する、コントロールデータベース作成方法。
【請求項１４】
画像取得ステップの後に、コンピュータが、前記心筋ＳＰＥＣＴ画像データにおける各画素値の正規化を行う正規化ステップを実行し、
判定・棄却ステップは、前記正規化ステップによって正規化された心筋ＳＰＥＣＴ画像データを用いて処理を行うものである、請求項１３に記載のコントロールデータベース作成方法。
【請求項１５】
コンピュータに、
複数の被験者を対象として取得された複数の心筋ＳＰＥＣＴ画像データを取得する画像取得ステップと、
取得したそれぞれの前記心筋ＳＰＥＣＴ画像データを標準化画像データに変換する標準化ステップと、
全ての前記標準化画像データについて、それぞれの画像を構成する各ピクセルにつき、画素値が所定の閾値よりも小さいか否かを判定し、小さい場合には当該ピクセルにおける画素値データを前記標準化画像データから棄却する判定・棄却ステップと、
前記判定・棄却ステップ実行後の各標準化画像データ間で、対応するピクセル同士における画素値の平均値および標準偏差を算出する演算ステップと、
を実行させる、コントロールデータベース作成プログラム。
【請求項１６】
コンピュータに、前記標準化画像データにおける各画素値の正規化を行う正規化ステップをさらに実行させ、
前記判定・棄却ステップにおいて処理される標準化画像データは、前記正規化ステップを実行することによって正規化された標準化画像データである、請求項１５に記載のコントロールデータベース作成プログラム。
【請求項１７】
コンピュータに、前記標準化画像データを特定のセグメントに分割するセグメント分割処理ステップをさらに実行させ、
前記判定・棄却ステップにおいて処理される標準化画像データは、前記セグメント分割処理ステップを実行する事によってセグメント分割された標準化画像データである、請求項１５に記載のコントロールデータベース作成プログラム。
【請求項１８】
コンピュータに、前記標準化画像データを特定のセグメントに分割するセグメント分割処理ステップをさらに実行させ、
前記正規化ステップで画素値の正規化を行う画像データは、前記セグメント分割処理ステップを実行する事によりセグメント分割された標準化画像データである、請求項１６に記載のコントロールデータベース作成プログラム。
【請求項１９】
コンピュータに、前記正規化ステップの後に、前記正規化された標準化画像データを複数のセグメントに分割するセグメント分割処理ステップをさらに実行させ、
前記判定・棄却処理ステップにて処理される標準化画像データは、前記セグメント分割処理ステップ後の正規化された標準化画像データである、請求項１６に記載のコントロールデータベース作成プログラム。
【請求項２０】
前記判定・棄却ステップにて参照する閾値が、前記セグメント分割処理ステップによって分割されたセグメントごとに個別に定められたものである、請求項１７から１９の何れか１項に記載のコントロールデータベース作成プログラム。
【請求項２１】
コンピュータに、
複数の被験者を対象として取得された複数の心筋ＳＰＥＣＴ画像データを取得する画像取得ステップと、
全ての前記心筋ＳＰＥＣＴ画像データについて、それぞれの画像を構成する各ピクセルにつき、画素値が所定の閾値よりも小さいか否かを判定し、小さい場合には当該ピクセルにおける画素値データを前記心筋ＳＰＥＣＴ画像データから棄却する判定・棄却ステップと、
前記判定・棄却ステップ後の前記心筋ＳＰＥＣＴ画像データを標準化画像データに変換する標準化ステップと、
各標準化画像データ間で、対応するピクセル同士における画素値の平均値および標準偏差を算出する演算ステップと、
を実行させる、コントロールデータベース作成プログラム。
【請求項２２】
画像取得ステップの後に、コンピュータに、前記心筋ＳＰＥＣＴ画像データにおける各画素値の正規化を行う正規化ステップをさらに実行させ、
前記判定・棄却ステップにおいて処理される心筋ＳＰＥＣＴ画像データは、前記正規化ステップを実行することによって正規化された標準化画像データである、請求項２１に記載のコントロールデータベース作成プログラム。
【請求項２３】
請求項７から１４の何れか１項に記載のコントロールデータベース作成方法によって作成された、心筋ＳＰＥＣＴ画像上で異常部位を判定するために用いるコントロールデータベース。